(57)【要約】【課題】フィルタの端部が軸から離脱する。【解決手段】本発明の空気調和機は、吸込口を有するケーシングと、吸込口に対向するように配置され、その両端が軸３１及び軸３２のそれぞれに巻回されるフィルタと、軸３１から軸３２に向かって移動するフィルタに接触して塵埃を除去する塵埃除去手段とを備える。軸３１及び軸３２は、それぞれ、フィルタ１２の端部が軸の内部に配置された状態でフィルタ１２を保持する。【選択図】図４
2016125707.tif 000002
【特許請求の範囲】
【請求項１】
吸込口を有するケーシングと、
前記吸込口に対向するように配置され、その両端が第１軸及び第２軸のそれぞれに巻回されるフィルタと、
前記第１軸から前記第２軸に向かって移動する前記フィルタに接触して塵埃を除去する塵埃除去手段とを備え、
前記第１軸及び前記第２軸の少なくとも一方は、前記フィルタの端部が当該軸の内部に配置された状態で前記フィルタを保持することを特徴とする空気調和機。
【請求項２】
前記第１軸及び前記第２軸の少なくとも一方は、複数の部材が組みつけられて構成されており、
当該軸は、前記フィルタの端部を前記複数の部材間に挟み込むことにより前記フィルタを保持することを特徴とする請求項１に記載の空気調和機。
【請求項３】
前記フィルタは、塵埃を除去する第１領域と、前記第１領域より厚い第２領域とを有しており、
前記第１軸及び前記第２軸の少なくとも一方は、前記第２領域を前記複数の部材間に挟み込むことにより前記フィルタを保持することを特徴とする請求項２に記載の空気調和機。
【請求項４】
前記フィルタの端部は、長尺部材の周囲に巻回された状態で当該フィルタの他の部分に固定されており、
前記第１軸及び前記第２軸の少なくとも一方は、前記長尺部材を前記複数の部材間に挟み込むことにより前記フィルタを保持することを特徴とする請求項２に記載の空気調和機。
【請求項５】
前記フィルタの端部は、長尺部材の周囲に巻回されており、
前記第１軸及び前記第２軸の少なくとも一方は、前記フィルタの端部が巻回された長尺部材を前記複数の部材間に挟み込むことにより前記フィルタを保持することを特徴とする請求項２に記載の空気調和機。
【発明の詳細な説明】
【技術分野】
【０００１】
本発明は、フィルタ清掃機構を備える空気調和機に関する。
【背景技術】
【０００２】
従来より、吸い込んだ室内空気中の塵埃が熱交換器へと流れないように、熱交換器よりも空気流れ上流側に塵埃を捕集するためのフィルタが配置された空気調和機がある。近年の空気調和機には、フィルタが捕集した塵埃をフィルタから除去するためのフィルタ清掃機構を備えるものがある。例えば、特許文献１に開示されている空気調和機では、フィルタに接触するように除塵部材が配置されており、フィルタが除塵部材に接触した状態でフィルタが移動することで、フィルタから塵埃が除去される。特許文献１のフィルタ装置は、上部に配置されたフィルタ６Ａの繰出し／巻取り用の軸６Ｂと、下部に配置されたフィルタ６Ａの繰出し／巻取り用の軸６Ｃと、上部の軸６Ｂと下部の軸６Ｃに巻回固定された帯状のフィルタ６Ａと、上部の軸６Ｂに接続する繰出し／巻取り駆動用のモータ１１と、下部の軸６Ｃに接続する繰出し／巻取り駆動用のモータ１１と、下部の軸６Ｃの近傍に設けられたフィルタの除塵部材８とを有している。
【先行技術文献】
【特許文献】
【０００３】
【特許文献１】特開２００１−９９４７９号公報
【発明の概要】
【発明が解決しようとする課題】
【０００４】
特許文献１のフィルタ装置では、上部に配置された軸６Ｂと下部に配置された軸６Ｃとが、それぞれ異なるモータによって駆動されることにより、フィルタが移動する。例えば、上部に配置された軸６Ｂから下部に配置された軸６Ｃに向かうフィルタの移動が終了したとき、フィルタの軸６Ｃ側の端部が軸６Ｂ側に向かって引っ張られることになる。したがって、フィルタの端部の軸６Ｃに対する固定が十分でない場合、フィルタの端部が軸６Ｃから離脱してしまう。
【０００５】
そこで、本発明の目的は、フィルタの端部が軸から離脱するのを防止できる空気調和機を提供することにある。
【課題を解決するための手段】
【０００６】
第１の発明に係る空気調和機は、吸込口を有するケーシングと、前記吸込口に対向するように配置され、その両端が第１軸及び第２軸のそれぞれに巻回されるフィルタと、前記第１軸から前記第２軸に向かって移動する前記フィルタに接触して塵埃を除去する塵埃除去手段とを備え、前記第１軸及び前記第２軸の少なくとも一方は、前記フィルタの端部が当該軸の内部に配置された状態で前記フィルタを保持することを特徴とする。
【０００７】
この空気調和機では、第１軸及び第２軸の少なくとも一方が、フィルタの端部が軸の内部に配置された状態でフィルタを保持する構成であって、例えばフィルタの端部が軸の外周面に付着した状態でフィルタを保持するものと比べ、フィルタの端部を軸に対し強固に固定できる。
【０００８】
第２の発明に係る空気調和機は、第１の発明に係る空気調和機において、前記第１軸及び前記第２軸の少なくとも一方は、複数の部材が組みつけられて構成されており、当該軸は、前記フィルタの端部を前記複数の部材間に挟み込むことにより前記フィルタを保持することを特徴とする。
【０００９】
この空気調和機では、第１軸及び第２軸の少なくとも一方が、複数の部材が組みつけられて構成されており、この軸は、フィルタの端部を複数の部材間に挟み込むことによりフィルタを保持する構成であって、フィルタの端部を軸に対し容易に固定できる。
【００１０】
第３の発明に係る空気調和機は、第２の発明に係る空気調和機において、前記フィルタは、塵埃を除去する第１領域と、前記第１領域より厚い第２領域とを有しており、前記第１軸及び前記第２軸の少なくとも一方は、前記第２領域を前記複数の部材間に挟み込むことにより前記フィルタを保持することを特徴とする。
【００１１】
この空気調和機では、フィルタが、塵埃を除去する第１領域と、第１領域より厚い第２領域とを有しており、第１軸及び第２軸の少なくとも一方が厚い第２領域を複数の部材間に挟み込むことによりフィルタを保持する構成であって、フィルタの端部を軸に対しより強固に固定できる。
【００１２】
第４の発明に係る空気調和機は、第２の発明に係る空気調和機において、前記フィルタの端部は、長尺部材の周囲に巻回された状態で当該フィルタの他の部分に固定されており、前記第１軸及び前記第２軸の少なくとも一方は、前記長尺部材を前記複数の部材間に挟み込むことにより前記フィルタを保持することを特徴とする。
【００１３】
この空気調和機では、フィルタの端部が長尺部材の周囲に巻回された状態でフィルタの他の部分に固定されており、第１軸及び第２軸の少なくとも一方が、フィルタの端部が固定された長尺部材を複数の部材間に挟み込むことによりフィルタを保持する構成であって、フィルタの端部を軸に対しより強固に固定できる。
【００１４】
第５の発明に係る空気調和機は、第２の発明に係る空気調和機において、前記フィルタの端部は、長尺部材の周囲に巻回されており、前記第１軸及び前記第２軸の少なくとも一方は、前記フィルタの端部が巻回された長尺部材を前記複数の部材間に挟み込むことにより前記フィルタを保持することを特徴とする。
【００１５】
この空気調和機では、フィルタの端部が長尺部材の周囲に巻回された状態でフィルタの他の部分に固定されており、第１軸及び第２軸の少なくとも一方が、フィルタの端部が巻回された長尺部材を複数の部材間に挟み込むことによりフィルタを保持する構成であって、フィルタの端部を軸に対しより強固に固定できる。
【発明の効果】
【００１６】
第１の発明では、第１軸及び第２軸の少なくとも一方が、フィルタの端部が軸の内部に配置された状態でフィルタを保持する構成であって、例えばフィルタの端部が軸の外周面に付着した状態でフィルタを保持するものと比べ、フィルタの端部を軸に対し強固に固定できる。
【００１７】
第２の発明では、第１軸及び第２軸の少なくとも一方が、複数の部材が組みつけられて構成されており、この軸は、フィルタの端部を複数の部材間に挟み込むことによりフィルタを保持する構成であって、フィルタの端部を軸に対し容易に固定できる。
【００１８】
第３の発明では、フィルタが、塵埃を除去する第１領域と、第１領域より厚い第２領域とを有しており、第１軸及び第２軸の少なくとも一方が厚い第２領域を複数の部材間に挟み込むことによりフィルタを保持する構成であって、フィルタの端部を軸に対しより強固に固定できる。
【００１９】
第４の発明では、フィルタの端部が長尺部材の周囲に巻回された状態でフィルタの他の部分に固定されており、第１軸及び第２軸の少なくとも一方が、フィルタの端部が固定された長尺部材を複数の部材間に挟み込むことによりフィルタを保持する構成であって、フィルタの端部を軸に対しより強固に固定できる。
【００２０】
第５の発明では、フィルタの端部が長尺部材の周囲に巻回された状態でフィルタの他の部分に固定されており、第１軸及び第２軸の少なくとも一方が、フィルタの端部が巻回された長尺部材を複数の部材間に挟み込むことによりフィルタを保持する構成であって、フィルタの端部を軸に対しより強固に固定できる。
【図面の簡単な説明】
【００２１】
【図１】本発明の実施形態にかかる空気調和機の外観図である。
【図２】図１の空気調和機の断面図である。
【図３】図１の空気調和機におけるフィルタ清掃運転時のフィルタ移動を説明する模式図である。
【図４】フィルタの端部が軸に固定される状態を説明する図である。
【図５】フィルタの端部と軸との固定方法を説明する図である。
【図６】フィルタの端部と長尺部材との他の固定方法を説明する図である。
【図７】フィルタの端部と長尺部材との他の固定方法を説明する図である。
【発明を実施するための形態】
【００２２】
以下、図面を参照しながら、本発明の実施形態に係る空気調和機１について説明する。なお、以下の実施形態は、本発明の具体例であって、本発明の技術的範囲を限定するものではない。
【００２３】
図１は、本発明の実施形態に係る空気調和機１の外観図であり、図２は、空気調和機１の断面図である。この空気調和機１は、室内の壁面に取り付けられる壁掛け型の室内機である。空気調和機１は、室外に配置される室外機（図示しない）と冷媒配管を介して接続されて空気調和機を構成しており、室内の冷房運転及び暖房運転を含む通常運転に加えて、フィルタを自動で清掃するフィルタ清掃運転を行うことができる。空気調和機１は、コントローラ１０に対する操作に基づいて制御される。
【００２４】
空気調和機１は、図１、図２に示すように、主として、本体ケーシング１１、フィルタ１２と、室内熱交換器１３、室内ファン１４とを備えている。本体ケーシング１１は、空気調和機１の外郭を構成する部材であって、内部にフィルタ１２、室内熱交換器１３、室内ファン１４を収納している。本体ケーシング１１の上部には、本体ケーシング１１内に室内の空気を吸い込むための吸込口１７が設けられており、本体ケーシング１１の内部には、フィルタ清掃機構２０が配置される。
【００２５】
室内熱交換器１３は、通過する空気との間で熱交換を行う。室内熱交換器１３は、側面視において両端が下方に向いて屈曲する逆Ｖ字状の形状を成し、その下方に室内ファン１４が位置する。室内ファン１４は、クロスフローファンであり、室内から吸込口１７を介して本体ケーシング１１内に取り込んだ空気を、室内熱交換器１３を通過させた後、本体ケーシング１１内から室内に吹き出す空気流れを形成する。
【００２６】
フィルタ１２は、吸込口１７に対向するとともに、室内熱交換器１３を覆うように配置されている。したがって、フィルタ１２は、吸込口１７を介して室内熱交換器１３に向かって流入してくる吸込空気に含まれる塵埃を捕集する。
【００２７】
フィルタ清掃機構２０は、フィルタ１２を自動的に清掃するフィルタ清掃運転を実行するための機構である。フィルタ清掃機構２０は、フィルタ１２から塵埃を除去するブラシ２１と、ブラシ２１から除去された塵埃を溜めるダストボックス２５とを有している。フィルタ１２は、その両端が軸３１と軸３２のそれぞれに巻回されており、軸３１は第１モータ（図示しない）により回転駆動され、軸３２は第２モータ（図示しない）により回転駆動される。
【００２８】
本実施形態の空気調和機１では、図３（ａ）に示すように、フィルタ１２における吸込口１７と対向しない部分のほとんどが軸３１の周囲に巻回された状態で通常運転が行われる。したがって、フィルタ清掃機構２０は、フィルタ清掃運転を実行するとき、図３（ｂ）に示すように、軸３１の周囲に巻回されたフィルタ１２を軸３２に向かって移動させる。このとき、フィルタ１２に接触するブラシ２１により、フィルタ１２から塵埃が除去される。フィルタ清掃運転が行われると、図３（ｃ）に示すように、フィルタ１２における吸込口１７と対向しない部分のほとんどが軸３２の周囲に巻回された状態となる。したがって、フィルタ清掃運転が終了すると、軸３２の周囲に巻回されたフィルタを軸３１に向かって移動させる。
【００２９】
このように、本実施形態の空気調和機１では、フィルタ清掃運転時に、フィルタ１２を軸３１から軸３２に向かって移動させるとともに、フィルタ清掃運転が終了した後、フィルタ１２を軸３２から軸３１に向かって移動させる。したがって、フィルタ清掃運転時において、フィルタ１２を軸３１から軸３２に向かって移動させるときは、軸３１が送り出し側軸であって、軸３２が巻き取り側軸となる。その後、フィルタ清掃運転が終了した後、フィルタ１２を軸３２から軸３１に向かって移動させるときは、軸３２が送り出し側軸であって、軸３１が巻き取り側軸となる。
【００３０】
フィルタ１２の長手方向の両端部は、図４に示すように、それぞれ、軸３１と軸３２に固定されている。図４（ａ）は、フィルタ１２の軸３１から軸３２に向かう移動が終了した状態を示し、図４（ｂ）は、フィルタ１２の軸３２から軸３１に向かう移動が終了した状態を示している。本実施形態では、軸３１は、２つの軸部材３１ａ、３１ｂが組みつけられて構成される。軸部材３１ａ、３１ｂは、図５に示すように、軸３１の長手方向に延びる略半円形の断面を有する部材であって、その内側面には、長手方向に延びる凹部３１ｃが形成される。したがって、軸部材３１ａ、３１ｂが組みつけられると、略円柱状の内部空間を有する円柱状の軸３１が構成される。フィルタ１２の軸３１側の端部には、略円柱状の長尺部材３１ｄが固定されている。本実施形態では、フィルタ１２の端部は、長尺部材３１ｄにインサート成形により固定されている。長尺部材３１ｄは、フィルタ１２の塵埃を除去する塵埃除去領域より厚い部材である。したがって、軸部材３１ａ、３１ｂが組みつけられるときに、その内部に、フィルタ１２の端部に固定された長尺部材３１ｄが挟み込まれることにより、フィルタ１２の軸３１側の端部が軸３１に固定される。よって、軸３１は、フィルタ１２の端部が軸３１の内部に配置された状態でフィルタ１２を保持する。軸３２は、軸３１と同様に、２つの軸部材３２ａ、３２ｂが組みつけられて構成され、軸部材３２ａ、３２ｂが組みつけられるときに、その内部に、フィルタ１２の端部に固定された長尺部材３２ｄが挟み込まれることにより、フィルタ１２の軸３２側の端部が軸３２に固定される。よって、軸３２は、フィルタ１２の端部が軸３２の内部に配置された状態でフィルタ１２を保持する。
【００３１】
［本実施形態の空気調和機の特徴］
本実施形態の空気調和機１には、以下の特徴がある。
【００３２】
本実施形態の空気調和機１では、軸３１及び軸３２が、それぞれ、フィルタ１２の端部が軸の内部に配置された状態でフィルタ１２を保持する構成であって、例えばフィルタの端部が軸の外周面に付着した状態でフィルタを保持するものと比べ、フィルタ１２の端部を軸に対し強固に固定できる。
【００３３】
また、本実施形態の空気調和機１では、軸３１及び軸３２が、それぞれ、２つの軸部材が組みつけられて構成されており、軸３１及び軸３２は、フィルタ１２の端部を２つの軸部材間に挟み込むことによりフィルタ１２を保持する構成であって、フィルタ１２の端部を軸に対し容易に固定できる。
【００３４】
また、本実施形態の空気調和機１では、フィルタ１２が、塵埃を除去する塵埃除去領域より厚い長尺部材３１ｄ、３２ｄを有しており、軸３１及び軸３２が、それぞれ、長尺部材３１ｄ、３２ｄを２つの軸部材間に挟み込むことによりフィルタ１２を保持する構成であって、フィルタ１２の端部を軸に対しより強固に固定できる。
【００３５】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００３６】
上述の実施形態では、軸が２つの軸部材が組みつけられて構成され、２つの軸部材が組みつけられるときに、その内部に、フィルタの端部にインサート成形により固定された略円柱状の長尺部材が挟み込まれることにより、フィルタの端部が軸に固定される場合を説明したが、図６に示すように、フィルタ１２の端部が、長尺部材３１ｄの周囲に巻回された状態でフィルタ１２の他の部分に溶着などにより固定されており、２つの軸部材が組みつけられるときに、その内部に、フィルタの端部が溶着などにより固定された長尺部材３１ｄが挟み込まれることにより、フィルタ１２の端部が軸に固定されてよいし、図７に示すように、フィルタ１２の端部が、長尺部材３１ｄの周囲に巻回されており、２つの軸部材が組みつけられるときに、その内部に、フィルタの端部が巻回された長尺部材３１ｄが挟み込まれることにより、フィルタ１２の端部が軸に固定されてよい。したがって、２つの軸部材が組みつけられるときに、その内部に、長尺部材が挟み込まれることにより、フィルタの端部が軸に固定される場合において、フィルタの端部と長尺部材との固定方法は変更できる。軸及び長尺部材が略円柱状である場合を説明したが、軸及び長尺部材は、略円柱状の部材に限られず、その他の形状の部材であってよい。
【００３７】
上述の実施形態では、軸が２つの軸部材が組みつけられて構成され、２つの軸部材が組みつけられるときに、その内部に、フィルタの端部にインサート成形により固定された略円柱状の長尺部材が挟み込まれることにより、フィルタの端部が軸に固定される場合を説明したが、フィルタの端部に長尺部材が固定されてないで、フィルタが、塵埃を除去する塵埃除去領域より厚い領域を有しており、軸がその厚い領域を２つの軸部材間に挟み込むことによりフィルタを保持する構成であってよい。したがって、フィルタにおいて、塵埃を除去する塵埃除去領域より厚い領域は、フィルタに固定されたその他の部材であってよいし、フィルタの端部が折り返されることにより塵埃除去領域より厚い領域であってよい。
【００３８】
上述の実施形態では、軸が２つの軸部材が組みつけられて構成され、２つの軸部材が組みつけられるときに、その内部にフィルタの端部が固定された長尺部材が挟み込まれることにより、フィルタの端部が軸に固定される場合を説明したが、軸が１つの部材であって、その軸にフィルタの端部が例えばインサート成形により固定されたものであってよい。したがって、軸が、フィルタの端部が当該軸の内部に配置された状態でフィルタを保持するものにおいて、本発明の効果が得られる。
【００３９】
上述の実施形態では、２つの軸部材が、軸の長手方向に延びる略半円形の断面を有する部材であって、その内側面には、長手方向に延びる凹部が形成される場合を説明したが、２つの軸部材の形状は、その他の形状であってよい。したがって、２つの軸部材が、軸の長手方向に延びる略半円形の断面を有する部材であって、その内側面が平面状であって、フィルタの端部がその平面状の内側面間に挟み込まれることにより、軸に固定されてよいし、その内側面には、凹凸が形成されており、フィルタの端部がその凹凸間に挟み込まれることにより、軸に固定されてよい。
【００４０】
上述の実施形態では、軸３１及び軸３２のそれぞれが、フィルタの端部が内部に配置された状態でフィルタを保持する場合について説明したが、軸３１及び軸３２のいずれかが、フィルタの端部が内部に配置された状態でフィルタを保持するものであってよい。
【００４１】
上述の実施形態では、
【産業上の利用可能性】
【００４２】
本発明を利用すれば、フィルタの端部を軸に対し強固に固定できる。
【符号の説明】
【００４３】
１  空気調和機
１１  本体ケーシング（ケーシング）
１２  フィルタ
１７  吸込口
２１  ブラシ（塵埃除去手段）
３１  軸（第１軸；第２軸）
３２  軸（第２軸；第１軸）
【図１】
2016125707.tif 000003
【図２】
2016125707.tif 000004
【図３】
2016125707.tif 000005
【図４】
2016125707.tif 000006
【図５】
2016125707.tif 000007
【図６】
2016125707.tif 000008
【図７】
2016125707.tif 000009